(57)【要約】      （修正有）【課題】従来、遺体の保存は氷かドライアイスを使用しているが、腐敗と臭気の問題は全く解決していない。この問題を解決した、回路配置付エアーマットを用いた循環型冷却方式によるファスナー付収納袋を提供する。【解決手段】イ）基布３とビニールのようなエアーマット材と不織布７を重ねて、高周波熱線で回路配置図を溶着する。溶着して出来た、回路配置図付エアーマット１の不織布７に活性炭２を取り付ける。次に留め具１４のついた固定用バンド１５を取り付ける。ロ）回路配置図付エアーマット１には、冷たい空気６を入れる入口ノズル９、排出する出口ノズル８を取り付ける。ハ）次に基布３の外面にアルミ蒸着布５を取り付ける。基布３とアルミ蒸着布５との外周に、ファスナー材４をはさみ、縫製するか、溶着する。ファスナー材４にはスライダー１３を取り付ける。ニ）更に冷気送風機１０の配管１２をして、入口ノズル９と出口ノズル８をつなぐ。【選択図】図１
2006212372.tif 000002
【特許請求の範囲】
【請求項１】
イ）基布（３）とビニールのようなエアーマット材と不織布（７）を重ねて、高周波熱線で回路配置図を溶着する。
溶着して出来た、回路配置図付エアーマット（１）の不織布（７）に活性炭（２）を取り付ける。
次に留め具（１４）のついた固定用バンド（１５）を取り付ける。
ロ）回路配置図付エアーマット（１）には、冷たい空気（６）を入れる入口ノズル（９）、排出する出口ノズル（８）を取り付ける。
ハ）次に基布（３）の外面にアルミ蒸着布（５）を取り付ける。
基布（３）とアルミ蒸着布（５）との外周に、ファスナー材（４）をはさみ、縫製するか、溶着する。
ファスナー材（４）にはスライダー（１３）を取り付ける。
ニ）更に冷気送風機（１０）の配管（１２）をして、入口ノズル（９）と出口ノズル（８）をつなぐ。
以上のごとく構成された、回路配置付エアーマットを用いた循環型冷却方式によるファスナー付収納袋に関するものである。
【発明の詳細な説明】
【発明の詳細な説明】
【技術分野】
【０００１】  この発明は収納袋の中で、冷却保存する、回路配置付エアーマットを用いた循環型冷却方式によるファスナー付収納袋に関するものである。
【背景技術】
【０００２】  従来より、遺体は葬儀、火葬まで保存しなければならないと、儀式の様式で決められている。
しかし、遺体の損傷や夏などの外気温、室内温度によって、急速に腐敗する状況が多く、遺体の冷凍処理等の手を加える事が出来ない現状では、何も出来ないに等しく、故人への尊敬、遺族の気持ち、葬儀の尊厳を思うと、非常に残念で、大変困っているのが現状である。
更に病死などの場合は、衛生面において、焼却滅菌出来る技術を強く求められている。
又、災害、事故、犯罪等の場合には、長期間保管されるため、葬儀を行う頃には、遺体の損傷や腐敗がひどく、従事する人間も大変な臭気の中で耐えることになる。
これは早期、解決しなければならない問題であった。
更に感染系伝染病も増え、衛生的に焼却処分する方法が強く求められている。
【発明が解決しようとする課題】
【０００３】  従来、次のような課題があった。
イ）腐敗する場合が非常に多く、大変困っている。
ロ）衛生的で焼却出来る材質での冷却保存技術が求められている。
ハ）遺体を長期保存せざるをえない、災害、事故、犯罪等の場合、特に早期解決しなければならない臭気の問題があった。
【課題を解決しようとする手段】
【０００４】  以下、本発明の課題を解決するための手段を説明する。
イ）基布（３）とビニールのようなエアーマット材と不織布（７）を重ねて、高周波熱線で回路配置図を溶着する。
溶着して出来た、回路配置図付エアーマット（１）の不織布（７）に活性炭（２）を取り付ける。
次に留め具（１４）のついた固定用バンド（１５）を取り付ける。
ロ）回路配置図付エアーマット（１）には、冷たい空気（６）を入れる入口ノズル（９）、排出する出口ノズル（８）を取り付ける。
ハ）次に基布（３）の外面にアルミ蒸着布（５）を取り付ける。
基布（３）とアルミ蒸着布（５）との外周に、ファスナー材（４）をはさみ、縫製するか、溶着する。
ファスナー材（４）にはスライダー（１３）を取り付ける。
ニ）更に冷気送風機（１０）の配管（１２）をして、入口ノズル（９）と出口ノズル（８）をつなぐ。
本発明は以上のような構成よりなる、回路配置付エアーマットを用いた循環型冷却方式によるファスナー付収納袋に関するものである。
【発明を実施するための最良の形態】
【０００５】  以下、本発明の実施の形態を説明する。
このようにすると、ファスナーを閉じて、袋状態にでき、外気温から保護するアルミ蒸着布（５）を外側に使用して、エアーマットの回路を循環する冷気を効率よく、内側の冷却に使用出来る構造である。
更に袋の内側は冷気送風機（１０）に送られた冷気を入口ノズル（９）を通して、エアーマット（１）に送り、循環後、出口ノズル（８）に排出され、更に冷気送風機（１０）で冷やされ、使用される。
その連続を繰り返して行うが、冷気は遺体と接触しておらず、衛生面でも最適な構造である。
又、遺体を固定するため、留め具（１４）のついた固定用バンド（１５）を使用する。
袋の内側に発生する結露は不織布（７）の中の活性炭（２）が吸着し、更に、発生する臭気も活性炭（２）が吸着する。
冷気送風機は家庭電源でも、車の電源でも使用可能である。
冷気送風機を使用出来ない場合でも、エアーマット（１）の回路に作られた活性炭（２）にドライアイスやアイスノンのような固形冷却剤を入れ替えると、閉じられた収納袋は空間が少ないため、冷却効果は長く続く。移動も可能である。
その際、エアーマット（１）は空気を入れた状態で、入口ノズル（９）、出口ノズル（８）は密封出来る構造である。
更にエアーマット（１）の回路装置は遺体の重さでも潰されないように、３ケ所活性炭（２）が支える構造にしてある。
だから、重さで冷気の循環は停止しない。
又、更に外部の衝撃も吸収して、この収納袋は遺体を傷つけることがなく、輸送に便利である。
その衝撃吸収性を活かし、例えば、高級魚の鮪等の輸送にも十分利用出来るし、その場合は何回も使用出来、割安になる。
その他、冷気送風機は急激に冷やす必要がある時には、ドライアイスの冷気を混入させる事も可能である。
又、温度センサー取り付け、自動調整も可能である。
この方法で、室内の場合はふとん乾燥機のような温風送風機、戸外の場合には携帯保温剤を使用すると、効果的な保温型寝袋にもなる。
災害で使用すれば、戸外の生活の救命救護の寝袋になる。
その他、エアーマット（１）の中にタイヤのパンク修理剤のような発泡剤を入れれば、耐久性のある衝撃吸収効果が加わり、収納物（１１）の損傷、損壊防止する防御型の寝袋になる。
【発明の効果】
【０００６】  この発明の効果を説明する。
この発明はファスナーの開閉によって、簡単に組立てが出来、軽量で、折りたためば小さくなり、持ち運びの負担がほとんどない。
高周波溶着加工出来る素材、例えばビニール袋等にすれば、生産効率が向上して、安価で提供出来る。
そのため、使い捨て焼却も可能で、衛生的で、最適な条件を持っている。
なお、アルミ蒸着は基布に直接加工してもよい。
【図面の簡単な説明】
【図１】  本発明の一部を切り欠いた平面図である。
【図２】  図１のａ線の断面図である。
【図３】  本発明の実施例を示す、一部を切り欠いた説明図である。
【記号の説明】
（１）エアーマット  （２）活性炭  （３）基布  （４）ファスナー材
（５）アルミ蒸着布  （６）空気  （７）不織布  （８）出口ノズル
（９）入口ノズル  （１０）冷気送風機  （１１）収納物  （１２）配管
（１３）スライダー  （１４）留め具  （１５）固定用バンド
【図１】
2006212372.tif 000003
【図２】
2006212372.tif 000004
【図３】
2006212372.tif 000005